(57)【要約】      （修正有）【課題】昇段時において足先が踏み板の突出部に当接して転倒したり、降段時において踏み板上でスリップ事故を起こすことがなく、寸法安定性に優れた昇降安全階段を提供すること。【解決手段】階段用側板１１と、踏み板１２と、該踏み板と略直交するように連結接合される蹴込み板１３と、これらを支承する力桁１４からなる階段であって、前記階段用側板１１を蹴込み板１３との側面外観形状は略同形状ないしは略相似形状からなり、上辺が水平部で、この水平部と下方に連なる垂直部と、この垂直部に下方に連なる切り込み凹部１３３とを有し、かつ下辺が傾斜部を有する形状からなり、前記踏み板１２と蹴込み板１３とは、凹凸嵌合部又は滑り用スリット部１３０を介して連結接合されてなることを特徴とする昇降安全階段１である。【選択図】図１
2004244831.tif 000002
【特許請求の範囲】
【請求項１】
階段用側板と、踏み板と、該踏み板と略直行するように連結接合される蹴込み板と、これらを支承する力桁とからなる階段であって、
前記階段用側板と蹴込み板との側面外観形状は略同形状ないしは略相似形状からなり、上辺が水平部で、この水平部と下方に連らなる垂直部と、この垂直部に下方に連なる切り込み凹部とを有し、かつ下辺傾斜部を有する形状からなり、
前記踏み板と蹴込み板とは、滑り用スリット部又は凹凸嵌合部を介して連結接合されてなることを特徴とする昇降安全階段。
【請求項２】
踏み板及び蹴込み板は、階段用側板よりも内側に配設されてなり、かつ受け板を介して力桁により支承されてなることを特徴とする請求項１に記載の昇降安全階段。
【請求項３】
踏み板は、階段用側板の下方の切り込み凹部の一部に設置されてなることを特徴とする請求項１に記載の昇降安全階段。
【請求項４】
切り込み凹部は、湾曲凹部、切り欠き三角凹部、略逆台形状のいずれかであることを特徴とする請求項１、請求項２、請求項３に記載の昇降安全階段。
【請求項５】
踏み板は、ステッパー部、横溝粗面を略全表面に有することを特徴とする請求項１、請求項２、請求項３、請求項４に記載の昇降安全階段。
【請求項６】
蹴込み板は、上方部においてステッパー部や横溝粗面の滑り止め粗面が形成された段鼻部を有することを特徴とする請求項１、請求項２、請求項３、請求項４、請求項５に記載の昇降安全階段。
【請求項７】
階段用側板、踏み板、蹴込み板が寸法安定木材からなることを特徴とする請求項１、請求項２、請求項３、請求項４、請求項５、請求項６に記載の昇降安全階段。
【請求項８】
寸法安定木材は、木材繊維が多方向に配列された集成材木片、ホルマール化木材、挽材を含むランバー合板のいずれか又はこれらの組み合わせ木材であることを特徴とする請求項１、請求項２、請求項３、請求項４、請求項５、請求項６、請求項７に記載の昇降安全階段。
【請求項９】
集成材の木片又は挽材を含むランバー合板は、建築廃材から選別された広葉樹堅牢木材を含むことを特徴とする請求項１、請求項２、請求項３、請求項４、請求項５、請求項６、請求項７、請求項８に記載の昇降安全階段。
【請求項１０】
踏み板と蹴込み板とを連結接合する凹凸嵌合部又は滑り用スリット部は、その一部において接着剤溜り凹部を有することを特徴とする請求項１、請求項２、請求項３、請求項４、請求項５、請求項６、請求項７、請求項８、請求項９に記載の昇降安全階段。
【請求項１１】
接着剤は、吸着剤又は吸湿剤を含有することを特徴とする請求項１、請求項２、請求項３、請求項４、請求項５、請求項６、請求項７、請求項８、請求項９、請求項１０に記載の昇降安全階段。
【請求項１２】
吸着剤又は吸湿剤は、活性炭、活性白土、ベントナイト、ゼオライト、カルシウム化合物、マグネシウム化合物、鉄化合物のいずれかであることを特徴とする請求項１、請求項２、請求項３、請求項４、請求項５、請求項６、請求項７、請求項８、請求項９、請求項１０、請求項１１に記載の昇降安全階段。
【発明の詳細な説明】
【０００１】
【発明の属する技術分野】
本発明は、昇段時において足先が踏み板の突出部に当接して転倒したり、降段時において踏み板上でスリップ事故を起こすことがなく、寸法安定性に優れた昇降安全階段に関する。
【０００２】
【従来の技術】
従来の階段９には、図１３及び図１６に示すごとく、踏み板９１より足を踏み外すことがないように滑り止め凹部９０１が段鼻部９１１に刻設されたものがある。
そして、踏み板９１には略直交するように蹴込み板９２が連結接合され、また、これらは受け板９３を介して力桁９４に支承されている。
【０００３】
なお、階段９の裏側においては、踏み板９１と蹴込み板９２との連結接合において、断面が略三角形状の隅木９５及び受け板９３を介して力桁９４に支承されている。
また、踏み板９１の先端部の段鼻部においては、特許文献１（図１）に示すごとく、例えばゴム又はプラスチックス成形品からなるノンスリップ材９５が装着されている。
なお、上記ノンスリップ材９５には、図１６に示すごとく、滑り止め凹部９４０が多数刻設されている。
【０００４】
そして、特許文献２及び特許文献３には、プレカット製品とも言うべき、予め工場で所定形状に加工された階段部材が提案されている。これらは、階段９の現場施工組立て時に、接続金具等を用いて組立てられる。
【０００５】
一方、特許出願人は、特許文献４、５、６に示すごとく、「仮設化粧階段」、「セットオン階段」、「安全踏板階段」などにより、昇段時及び降段時において、足先がつまずいたり、足を踏み外したり、スリップ事故を起こさない階段を提案している。
【０００６】
【発明が解決しようとする課題】
しかしながら、特許文献７（図１）に示すごとく、踏み板９１の踏み面（足で踏む面積）を出来る限り広くするため、前方側にやや突出している（図１３参照）。
そのため、図１８に示すごとく、足のつま先がつまずいて、階段上で転倒したり、転び落ちる危険性がある。これでは、階段の昇段時に安全を十分確保することが出来ない。
【０００７】
また、図１３及び図１６に示すごとく、滑り止め用凹部９１０のみでは、降段時において踏み板９１より足を踏み外して、滑り落ちたり、スリップ事故を起こす危険性がある。
【０００８】
そして、前記ノンスリップ材９５を段鼻部９４に装着する作業は煩わしく繁雑である。
他方、従来の階段９においては、踏み板９１と蹴込み板９２との寸法変化率が大きい場合には、連結接合において隙間を生じたり、ノンスリップ材９５との寸法変化率の差異により、剥れやすい問題点がある。
【０００９】
【特許文献】
（１）特許文献１  特開２０００−１２９８８０号公報
（２）特許文献２  特開平１０−２３８０４９号公報
（３）特許文献３  特開平１０−２３８０５０号公報
（４）特許文献４  特願２００２−２１３８７５号
（５）特許文献５  特願２００２−３２２９６４号
（６）特許文献６  特願２００２−３２７９７２号
（７）特許文献７  特開２０００−２１３１３２号公報
【００１０】
本発明は、上記問題点に鑑みてなされたものであって、階段昇段時において踏み板突出部で足のつま先が当接して転倒したり、階段降段時において踏み板を踏み外すことを防ぎ、安全性を十分確保すると共に、更には階段の寸法安定性や階段の施工時の省力化や作業の迅速化を図ろうとするものである。
【００１１】
【発明を解決するための手段】
そこで本発明が採った手段は、前記従来の階段９の課題を解決するため、下記の請求項１〜請求項１２に示す発明を提案するものである。なお、本発明を更に具体的に説明するため、実施例において使用する図面の符号を付して説明する。
【００１２】
まず請求項１に記載の発明が採った手段は、階段用側板１１と、踏み板１２と、該踏み板１２と略直交するように連結接合される蹴込み板１３と、これらを支承する力桁１４とからなる階段であって、
前記階段用側板１１と蹴込み板１３との側面外観形状は略同形状ないしは略相似形状からなり、上辺が水平部１１１、１３１で、この水平部と下方に連らなる垂直部１１２、１３２と、この垂直部１１２、１３２の下方に連なる切り込み凹部１１３、１３３とを有し、かつ下辺傾斜部１１４、１３４を有する形状からなり、
【００１３】
前記踏み板１２と蹴込み板１３とは、滑り用スリット部又は凹凸嵌合部を介して連結接合されてなることを特徴とする昇降安全階段１を提供するものである。
これにより、昇段時において足先が踏み板１２の突出部に当接したり、つまずくことがなく、階段昇段時の安全性を十分確保することが出来る。
【００１４】
また、請求項２に記載の発明が採った手段は、踏み板１２及び蹴込み板１３は階段用側板１１よりも内側に配設されてなり、かつ受け板１５を介して力桁１４により支承されてなることを特徴とする昇降安全階段１を提供するものである。
【００１５】
これにより、前記階段用側板１１及び蹴込み板１３の下方において、湾曲凹部（イ）、切り欠き三角凹部（ロ）、略逆台形状（ハ）などの切り込み凹部１１３、１３３が形成されるため、この切り込み凹部１１３、１３３の下辺においては、踏み板１２の踏面が拡大される。そのため、階段の昇段時及び降段時において、確実に踏み板１２上に足を乗せることが出来るので、昇段時及び降段時の安全性が十分確保されることになる。
【００１６】
そして、請求項３に記載の発明が採った手段は、踏み板１２は、階段用側板１１の下方の切り込み凹部の一部設置されてなることを特徴とする昇降安全階段１を提供するものである。
これにより、踏み板１２の一部設置略逆台形状昇段時容易となり、階段の施工現場における作業の迅速化による省力化、施工性の向上が可能となる。
【００１７】
請求項４に記載の発明が採った手段は、切り込み凹部は、湾曲凹部（イ）、切り欠き三角凹部（ロ）、略逆台形状（ハ）のいずれかであることを特徴とする昇降安全階段１を提供することが出来る。
これにより、前記踏み板１２の踏面を拡大して階段の昇段時及び降段時における安全性を十分確保し、踏み板１２を踏み外すことを防ぐことが出来る。
【００１８】
請求項５に記載の発明が採った手段は、踏み板１２は、ステッパー部１２１、横溝粗面１２２を略全表面に有することを特徴とする昇降安全階段１を提供するものである。
これにより、階段の降段時において、スリップ事故及び踏み板１２上で足を滑らして踏み外すことがなく、昇段時及び降段時の安全性を十分に確保することが出来る。
【００１９】
請求項６に記載の発明が採った手段は、蹴込み板１３は、上方部においてステッパー部１２１や横溝粗面１２２などの滑り止め粗面が形成された段鼻部１３５を有することをとくちょうとする昇降安全階段１を提供するものである。
これにより、蹴込み板１３を工場などで予め生産加工したプレハブ製品又はプレカット製品により構成しておくことにより、階段の施工現場での作業の能率化を図ることが出来る。
【００２０】
請求項７に記載の発明が採った手段は、階段用側板１１、踏み板１２、蹴込み板１３は寸法安定木材からなることを特徴とする昇降安全階段１を提供するものである。
これにより、素材としての木材の寸法変化率が小さくなり、階段用側板１１、踏み板１２，蹴込み板１３との連結接合において、隙き間や歪みを生ずることがなく、寸法安定性に優れた昇降安全階段１を提供することが出来る。
【００２１】
請求項８に記載の発明が採った手段は、木材繊維が多方向に配列された集成材の木片、ホルマール化木材、挽材を含むランバー合板のいずれ又はこれらの組み合せ木材であることを特徴とする昇降安全階段１を提供するものである。
これにより、寸法変化率が少なく、寸法精度が高く、かつ多様性及び寸法安定性に優れた昇降安全階段１を提供することが出来る。
【００２２】
請求項９に記載の発明が採った手段は、集成材の木片又は挽材を含むランバー合板は、建築廃材から選別された広葉樹堅牢木材を含むことを特徴とする昇降安全階段１を提供することが出来る。これにより、現時点では余り積極的にリサイクル利用されていない木造建築物の廃材を有効に利用し、資源の循環利用を図ることが出来る。なお、上記廃材は、特にブナ、ケヤキ、アピトン等の広葉樹堅牢木材であることが好ましい。それは、スギやヒノキ等の針葉樹木材よりも強度や硬度が優れているからである。
【００２３】
請求項１０に記載の発明が採った手段は、踏み板１２と蹴込み板１３とを連結接合する凹凸嵌合部又は滑り用スリット部は、その一部において接着剤溜り凹部１２３、１２４を有することを特徴とする昇降安全階段１を提供するものである。
これにより、踏み板１２と蹴込み板１３との連結接合において、接着剤を比較的多量に含有することが出来るため、強固な連結接合を形成することが出来る。
【００２４】
請求項１１に記載の発明が採った手段は、接着剤は、吸着剤又は吸湿材を含有することを特徴とする昇降安全階段１を提供するものである。
これにより、踏み板１２と蹴込み板１３との連結接合において、接着剤が空気中の湿分を吸収して、踏み板１２と蹴込み板１３との連結接合の木材を湿潤膨張させることにより、連結接合の凹凸嵌合部又は滑り用スリット部がより強固になる。
【００２５】
請求項１２に記載の発明が採った手段は、吸着剤又は吸湿剤は、活性炭、活性白土、ベントナイト、ゼオライト、カルシウム化合物、マグネシウム化合物、鉄化合物のいずれかであることを特徴とする昇降安全階段１を提供するものである。
これにより、比較的入手が容易で安価な材料を用いて、接着剤による連結接合の多孔質な木材部分を容易に湿潤膨張させることが出来る。
【００２６】
【発明の実施の形態】
本発明の実施の形態を実施例等に基づいて、請求項１〜請求項１２に記載の発明の具体的な実施の態様及び作用などについて詳細に説明し、本発明を実施するに当り、採り得る形態を明らかにする。
【００２７】
本発明の昇降安全階段１は、階段用側板１１と踏み板１２と該踏み板１２と略直交するように連結接合される蹴込み板１３と、これらを支承する力桁１４をからなる階段である。それゆえ、階段の形式、形態においては、踊り場を有する「折返し階段」、「直通踊り場階段」、「回り階段」「かね折れ階段」などの各種形態の階段も含まれる。
【００２８】
また、階段用側板１１には、手摺（笠木）や手摺子を配設したり、踏み板１２と蹴込み板１３との裏面において、隅木や底板を配設することも、当業者が適宜に実施し得る態様である。
【００２９】
階段用側板１１と蹴込み板１３とは、側面外観形状は略同形状ないしは略相似形状からなり、好ましくは蹴込み板１３よりも階段用側板１１が若干大きい略相似形状からなることが最適の形態である。蹴込み板１３は、階段用側板１１よりも内側に配設するからである。なお、切り込み凹部１１３、１３３は、湾曲凹部（イ）、切り欠き三角凹部（ロ）、略逆台形状（ハ）の形態において、略同形状を採用することが好ましい。踏み板１２の踏面が同一面積で拡大できるからである。
【００３０】
踏み板１２と蹴込み板１３とは凹凸嵌合部又は滑り用スリット部を介して連結接合される形態であることが好ましい。踏み板１２と蹴込み板１３と連結接合が容易かつ円滑に出来るからである。
【００３１】
踏み板１２及び蹴込み板１３は、階段用側板１１より内側に配設されてなり、かつ受け板１５を介して力桁により支承されることが好ましい。
階段用側板１１、踏み板１２、蹴込み板１３を予め工場等において生産加工したプレハブ製品又はプレカット製品を採用することにより、階段の施工現場において、踏み板１２と蹴込み板１３との組み付け施工が容易となるからである。
【００３２】
踏み板１２は、階段用側板１１の下方の切り込み凹部の一部設置されてなることが好ましい。踏み板１２を階段用側板１１の一部設置に簡便に配設して、いわゆる「セットオン階段」を容易に形成できるからである。
【００３３】
また、切り込み凹部は、湾曲凹部（イ）、切り欠き三角凹部（ロ）、略逆台形状（ハ）であることが好ましい。蹴込み板１３の下方において、切り込み凹部を容易に形成し、踏み板１２の踏面を拡大できるため、階段昇段時において踏み板１２を踏み外すことがなく、昇段時の安全を確保することが容易に出来るからである。なお、切り込み凹部は湾曲凹部（イ）、切り欠き三角凹部（ロ）、略逆台形状（ハ）の各種形態であっても、同様に踏み板１２の踏面を拡大したり、階段用側板１１の下方の切り込み凹部に踏み板１２の両端部を一部設置（セットオン）して、踏み板１２を階段用側板１１に容易に取付け施工することが出来る。
【００３４】
踏み板１２は、ステッパー部１２１、横溝粗面１２２を略全表面に有することが好ましい。これにより、階段の降段時において、足を滑らせたり、踏み外すことがなく、降段時の安全性を確保することが出来る。
蹴込み板１３は上方部において、ステッパー部１３６や横溝粗面１３７を一部設置した滑り止め粗面が形成された段鼻部１３５を有することが好ましい。これにより、踏み板１２を前方に突出させることなく、蹴込み板１３の本体とその上方部（頭部）において、工場等で一体加工したプレカット製品を容易に得ることが出来ると共に、階段の施工現場において踏み板１２の前方部でノンスリップ材を装着する手間を省略することが出来る。
【００３５】
階段用側板１１、踏み板１２、蹴込み板１３は、木材繊維が多方向に配列された集成材の木片、ホルマール化木材、挽材を含むランバー合板のいずれかである寸法安定木材からなることが好ましい。これにより、寸法精度が高く、階段用側板１１と踏み板１２と蹴込み板１３の連結接合において、隙き間や歪みが生じることのない、寸法安定性に優れた昇降安全階段１を有利に得ることが出来る。
【００３６】
集成材の木片又は挽材を含むランバー合板は、建築廃材から選別された広葉樹堅牢木材を含むことが好ましい。木材資源のリサイクル有利を可能とし、強度や硬度の大きい昇降安全階段１を有利に得ることが出来るからである。
【００３７】
踏み板１２と蹴込み板１３とを連結接合する凹凸嵌合部又は滑り用スリット部は、その一部において、接着剤溜り凹部１２３、１２４を有し、接着剤は、活性炭、活性白土、ベントナイト、ゼオライト、カルシウム化合物、マグネシウム化合物、鉄化合物等を含有することが好ましい。
これにより、踏み板１２と蹴込み板１３との連結接合である凹凸嵌合部又は滑り用スリット部において、木材の湿潤膨張を可能として、強固な凹凸嵌合部又は滑り用スリット部を有利に形成することが出来る。
【００３８】
上記カルシウム化合物としては、例えば塩化カルシウム、水酸化カルシウム、炭酸カルシウムなどがある。
また、上記マグネシウム化合物としては、例えば塩化マグネシウム、水酸化マグネシウム、炭酸マグネシウムなどがある。
そして、上記鉄化合物としては、例えば水酸化第１鉄又は第２鉄や塩化鉄などがある。
【００３９】
次に、本発明の昇降安全階段１の施工現場における組み付け方法の手順の一例を示す。
まず、第一段階として、昇降安全階段１を取り付け施工する部分（位置）において、階段用側板１１の位置の墨出を行う。次に、階段用側板１１と踏み板１２と蹴込み板１３を受け板１５を介して力桁１４に支承するように取付ける（図１及び図２参照）。
【００４０】
そして、力桁１４の上方部を取付け柱及び二回の床面に取付け固定する（図４及び図５参照）。
また、踏み板１３の略全表面にステッパー部１２１や横溝粗面１２２の滑り止め粗面を装着（貼着）する（図３、図８〜図１０）。
【００４１】
略全表面滑り止め粗面昇段時、本発明の好ましい実施例について、図面を参照しながら具体的に説明する。
（実施例１）
本例は、図１〜図５に示すごとく、請求項２、請求項５、請求項６、請求項８、請求項９に記載の発明に係る昇降安全階段１に対応する具体例を提供するものである。
まず、図２に示すごとく、一対の階段用側板１１、１１を左右二体の力桁１４に取付ける。そして、隅木１６を２枚の階段用側板１１に架設する。取付け手段としては、長い釘、ボルトとナット、接着剤などを併用する。また、隅木１６は、階段用側板１１の前方角隅に形成した切り欠き凹部１３０に設置（セットオン）し、釘と接着剤を併用して装着する。
【００４２】
次に、図１に示すごとく、踏み板１２を力桁１４上に取付け固定する。取付け固定手段としては、当業者が通常採用する常套手段である、踏み板１２の裏面側にもうけた蟻掛け凹部（図面略）を受け板１５又は受けこまを用いて、長い釘及び接着剤を併用して行う。なお、接着剤の中には、ベントナイトや塩化カルシウムなどの吸着剤又は吸湿剤を混入しておく。これにより、接着剤が空気中の水分（湿分）を徐々に、前記「蟻掛け凹部」としての凹凸嵌合部又は滑り用スリット部（図示略）近傍の木質多孔部を湿潤膨張させる。そのため、凹凸嵌合部又は滑り用スリット部部は強固な連結接合を形成することになる。
【００４３】
なお、個々で注目すべきことは、踏み板１２の上端部は、図１に示すごとく、階段用側板１１の上辺である水平部１１１と同一レベルにしておくのが肝要である。その理由としては、階段用側板１１と力桁１３との下方に形成された切り込み凹部１１３、１３３としての湾曲凹部（イ）を残存させておくことにより、踏み板１２の踏面をその湾曲凹部（イ）部分だけ拡大させることが出来る。これにより、階段昇段時において、踏み板１２を踏み外すことがなくなり、昇段時の安全を十分に確保することが出来ることになる。
【００４４】
次に、注目すべきことは、図１及び図２に示すごとく、階段用側板１１の前方入隅１３９及び踏み板１２と蹴込み板１３との上方前端部における連結接合には、前述のごとく、隅木１６が配置されているため、昇段時において従来の階段９のごとく、足先がつまずき（図１８参照）、階段で転倒したり、落下する危険を解消することが出来る。
【００４５】
そして、隅木１６と踏み板１２との間隙部には、図１に示すごとく、蹴込み板１３を階段用側板１１の形状に対応するごとく配設する。配設手段としては、前述のごとく、当業者が常套手段として採用する釘、接合用治具、接着剤などを用いて行う。なお、前記踏み板１２としては、例えば工場等で予め生産加工したプレカット製品を用いることが出来る。このプレカット製品は、図３に示すごとく、略全表面において横溝粗面１２２が形成されている。この横溝粗面１２２は、滑り止め粗面の一態様であり、階段の昇段時及び降段時、特に降段時において踏み板１２を踏み外すことを防ぐことが出来る。
【００４６】
最後に、図４及び図５に示すごとく、前述のようにして構成した昇降安全階段１の上端部（頭部）は、支柱２と二階床柱（根太）又は受け材３に取付け固定する。取付け固定の方法としては、前記受け材３に「大入れ蟻掛け」を形成し、この凹凸嵌合部又は滑り用スリット部に階段用側板１１の上端分に形成した側桁大入れ蟻掛け凸部を嵌合することにより、連結接合を形成する。即ち、図５に示すごとく、受け材３に形成した嵌合凹部３０の中に前記接着剤を用いて、階段用側板１１の上端部に形成した蟻掛け凸部１１０を嵌入することにより行う。これにより、受け材３と階段用側板１１との連結接合がいっそう強固になる。
【００４７】
以上のようにして構成した昇降安全階段１は、階段用側板１１、踏み板１２、蹴込み板１３の素材として、木材繊維が多方向に配列された集成材の木片又は、挽材を含むランバー合板を用いているため、木材のタテ及びヨコ方向の伸縮がきわめて少ない寸法安定性に優れた昇降安全階段１を得ることが出来た。
また、階段用側板１１、踏み板１２、蹴込み板１３は、全て工場等において予め所定形状にプレカットした、いわゆるプレカット製品を用いているため、階段の施工現場における作業の迅速化及び省力化が可能となり、施工性に優れた昇降安全階段１を得ることが出来る。特に、踏み板１２は、図３に示すごとく、踏み板１２の略全表面に滑り止め粗面としての横溝粗面１２２が形成されているため、階段の昇段時及び降段時において安全を十分確保することが出来る。
したがって、本例によれば、昇段時において踏み板１２の踏面を拡大して、足を踏み外すことがなく、足先が段鼻部１３５に当接してつまずくことがない昇降安全階段１であって、降段時においても踏み板１２を踏み外してスリップ事故を起こすことがなく、かつ寸法安定性に優れた昇降安全階段１を得ることが出来る。
【００４８】
（実施例２）
本例は、図６、図７に示すごとく、請求項１、請求項３、請求項５、請求項６、請求項８、請求項９に記載した発明に対応した昇降安全階段１を提供するものである。
図６に示すごとく、階段用側板１１と蹴込み板１３とは略同形状であって、踏み板１２と力桁１３とを略直交するように凹凸嵌合部又は滑り用スリット部を介して連結接合した断面形状は、階段用側板１１の形状である「側面外観形状は、上辺が水平部１１１で、この水平部１１１と下方に連らなる垂直部１１２と、この垂直部１１２に連らなる切り込み凹部１１３としての切り欠き三角凹部（ロ）とを有し、かつ下辺が傾斜部１１４を有する形状からなるものである。
【００４９】
そして、図７に示すごとく、踏み板１２はその略全表面において横溝粗面１２２が形成してある。また、踏み板１２と蹴込み板１３との裏面側においては、受け板１５としての防振ゴム又は制振鋼板が配設してある。これにより、階段の昇段時及び降段時において、床鳴りやキシミ音が発生することを防ぐことが出来る。
また、階段用側板１１、踏み板１２、蹴込み板１３は、実施例１と同様に寸法変化率が少ない、異方向性の木材繊維の積層接合材により構成してある。その他の構成、例えば階段用側板１１の上端部の取付け固定（図４、図５参照）してある。
本例によれば、昇段時には足のつまづきがなく、降段時にはスリップ事故の発生がなく、寸法安定性に優れた昇降安全階段１を得ることが出来る。
【００５０】
（実施例３）
本例は、図８及び図９に示すごとく、請求項１，請求項５、請求項６、請求項７、請求項８〜請求項１２に記載の発明に対応する昇降安全階段１を提供するものである。
図８に示すごとく、まず蹴込み板１３は、上辺（頭部）において、段鼻部１３５にはステッパー部１３６が形成してある。そして、この段鼻部１３５は凹凸嵌合部又は滑り用スリット部としての凹部１３０を有する。一方、踏み板１２は、その先端部において、上記凹部１３０と対応するサネ加工凸部１２５を有する。
ここで注目すべきことは、踏み板１２と蹴込み板１３とを連結接合する凹凸嵌合部又は滑り用スリット部は、その一部において、接着剤溜り凹部（図示略）を有することである。
【００５１】
そして、接着剤は、ベントナイト、ゼオライト、活性炭などの吸着剤又は、吸湿剤を有する。これにより、連結接合における素材としての木材繊維が多方向に配列された集成材の木片の積層接合材の多孔質部分より空気中の水分を吸収して湿潤膨張する。それ故、連結接合は強固に嵌合されると共に、隙間や歪みを発生することがない。なお、上記ベントナイトやゼオライト微粉は長期間にわたり、一種の結合水の形態で水分を放置すると共に、他方、長期間にわたり、水分を放出する可能性を有する。したがって、特に本例によれば、踏み板１２と蹴込み板１３との連結接合が強固で、かつ寸法安定性に優れた昇降安全階段１得ることが出来る。
【００５２】
一方、蹴込み板１３は、上辺頭部において、工場などで予め所定形状に加工したプレカット製品であるため、従来の階段９のごとく、踏み板９１の先端部において、ノンスリップ材９５を装着する必要が無く（図１６参照）、しかも従来の階段９に比較して踏み板１２は足を滑らして踏み外すことがない。
したがって、本例によれば、図９に示すごとく、昇段時に足先が踏み板９１の突出部に当接してつまずくことがなく、安全を十分に確保することが出来る。また、階段の施工現場において、作業性に優れ迅速容易に昇降安全階段１を得ることが出来る。
【００５３】
なお、図９に示すごとく、滑り止め粗面としての横溝粗面１２６に代えて、図１０に示すごとく、踏み板１２のいにおいて、たとえば、ウレタン発泡材１２３や研磨剤が混入された塗料を踏み板１１の表面に塗布することが出来る。これにより、素材である集成材の木片や挽材を含むランバー合板の耐久性が向上すると共に、見栄えが向上した昇降安全階段１を得ることが出来る。
【００５４】
（実施例４）
本例は、図１１に示すごとく、特許文献５の一例として、蹴込み板１３の下方に形成する切り込み凹部１３３の一態様としての断面形状が略逆台形状で、かつ湾曲凹部（イ）を有する昇降安全階段１を提供するものである。
特許文献５に記載の階段と木質的に異なるところは、階段用側板１１、踏み板１２、蹴込み板１３の素材として、木材繊維が多方向に配列してなる集成材の木片の積層接合材により構成したことである。
【００５５】
なお、図１１に示すごとく、踏み板の前端部又は蹴込み板１３の上端頭部において、凹凸嵌合部又は滑り用スリット部を有するホルマール化木材からなる段鼻部１３５を吸着材又は吸湿剤を混入した接着剤を用いて連結接合したものである。
また、踏み板１２の後端部において、竹材や硬質発泡木材からなる合成木材片の湿潤膨張製の「くさび」６を使用してある。これにより「くさび」６は、空気中の水分（湿分）を吸収して、体積膨張することにより、「くさび」６として係合くさび効果を十分発揮する事が出来る。
したがって、本例によれば、寸法安定性及び係合くさび効果に優れた昇降安全階段１を得ることが出来る。
【００５６】
（実施例５）
本例は、実施例４における段鼻部５の下方に代えて、断面が略逆台形状でかつ上端頭部に横溝粗面５１を有する段鼻部５を採用した昇降安全階段１を提供するものである。また、踏み板１１は請求項３に記載のごとく、階段用側板１１の下方の切り込み凹部の一部設置されてなる。これにより、踏み板１２は単に階段用側板の下方に一部設置した、いわゆるセットオンタイプの階段を形成することが出来る。そのため、階段用側板１１、踏み板１２、蹴込み板１３をプレカット製品により構成することにより、、階段の施工現場における作業性を向上させると共に、省力化や作業の迅速性を可能とした昇降安全階段１を提供することが出来る。
なお、図１２に示すごとく、階段用側板１１の情報頭部は実施例１と同様に構成した（図４、図５参照）。その他の構成も実施例１と同様に構成した。
【００５７】
【発明の効果】
本発明は、請求項１〜請求項１２に記載の発明により構成されたものである。そのため、下記に示すような諸々の効果を奏するものである。
まず、請求項１に記載の発明によれば、昇段時において足先が踏み板１２の突出部に当接したり、つまずくこと（図１８参照）がなく、階段の昇段時において安全性を十分確保する事が出来る。また、請求項２に記載の発明によれば、階段用側板１１及び蹴込み板１３の下方において、湾曲凹部（イ）、切り欠き三角凹部（ロ）、略逆台形状（ハ）などの切り込み凹部１１３、１３３が形成されるため、この切り込み凹部１１３、１３３の下辺においては、踏み板１２の踏面が拡大される。そのため、階段の昇段時及び降段時において、確実に踏み板１２上に足を乗せる事が出来るので、昇段時及び降段時の安全性が十分確保される。
【００５８】
そして、請求項１３に記載の発明によれば、踏み板１２の一部設置が容易となり、階段の施工現場における作業の迅速化による省力化、施工性の向上が可能となる。
また、請求項４に記載の発明によれば、踏み板１２の踏面を拡大して階段の昇段時及び降段時における安全性を十分に確保して、踏み板１２を踏み外すことを防ぐ事が出来る。
請求項５に記載の発明によれば、階段の降段時において、スリップ事故及び踏み板１２上で足を滑らせて踏み外すことがなく、昇段時及び降段時の安全性を十分確保することが出来る。
【００５９】
請求項６に記載の発明によれば、蹴込み板１３を工場などで予め生産加工したプレハブ製品又はプレカット製品により構成しておくことにより、階段の施工現場での作業の能率化を図ることが出来る。
【００６０】
請求項７に記載の発明によれば、素材としての木材の寸法変化率が小さくなり、階段用側板１１と踏み板１２と蹴込み板１３との連結接合において、隙間や歪みを生ずることがなく、寸法安定性に優れた昇降安全階段１を得ることが出来る。
また、請求項８に記載の発明によれば、現時点では余り積極的にリサイクル使用されていない木造建築物の廃材を有効利用し、資源の循環利用を図ることが出来る。なお、上記廃材は、特にブナ、ケヤキ、アピトン等の広葉樹堅牢木材であることが好ましい。それは、スギやヒノキ等の針葉樹木材よりも強度や硬度が優れているからである。
【００６１】
また、請求項１０に記載の発明によれば、踏み板１２と蹴込み板１３との連結接合において、接着剤を比較的多量に含有することが出来るため、強固な連結接合を形成することが出来る。
そして、請求項１１に記載の発明によれば、踏み板１２と蹴込み板１３との連結接合において、接着剤が空気中の水分（湿分）を吸収して、踏み板１２と蹴込み板１３との連結接合の木材を湿潤膨張させることにより、連結接合の凹凸嵌合部又は滑り用スリット部がより強固になる。
また、請求項１２に記載の発明によれば、比較的入手が容易で安価な材料を用いて、接着剤による連結接合の多孔質な木材部分を容易に湿潤膨張させて、強固な昇降安全階段１を得ることが出来る。
以上のごとく、本発明によれば、階段の昇段時及び降段時の安全性を十分確保することが出来ると共に、寸法安定性や作業性に優れた昇降安全階段１を提供することが出来る。
【図面の簡単な説明】
【図１】実施例１に係る昇降安全階段の中央部における断面図である。
【図２】実施例１における階段用側板の組み立て作業中の斜視図である。
【図３】実施例１における踏み板の略全表面に滑り止め粗面を装着した状態を示す斜視図である。
【図４】実施例１における階段用側板の上端部の取り付け状態を示す斜視図である。
【図５】実施例１における階段用側板の上端部の嵌合状態を示す斜視図である。
【図６】実施例２における中央部分の昇降安全階段の断面図である。
【図７】実施例２における中央部分の別態様の断面図である。
【図８】実施例３における中央部分の昇降安全階段の断面図である。
【図９】実施例３に係る昇降安全階段の一部斜視図である。
【図１０】実施例３における別態様の踏み板の一部斜視図である。
【図１１】実施例４に係る昇降安全階段の中央部分の一部断面図である。
【図１２】実施例５に係る昇降安全階段の中央部分の一部断面図である。
【図１３】従来の階段の中央部分における一部断面図である。
【図１４】従来の階段の裏面側から見た一部斜視図である。
【図１５】従来の階段の中央部分における別態様の一部斜視図である。
【図１６】従来の階段の踏み板の先端部にノンスリップ材を装着した状態を示す斜視図である。
【図１７】従来の階段の踏み板の別態様の一部斜視図である。
【図１８】従来の階段における問題点の説明側面図である。
【符号の説明】
１・・・昇降安全階段
１１・・・階段用側板
１１３・・・切り込み凹部
１２・・・踏み板
１３・・・階段用側板
１３５・・・段鼻部
１４・・・力桁
１５・・・受け板
（イ）・・・湾曲凹部
（ロ）・・・連結接合
（ハ）・・・略逆台形状
【図１】
2004244831.tif 000003
【図２】
2004244831.tif 000004
【図３】
2004244831.tif 000005
【図４】
2004244831.tif 000006
【図５】
2004244831.tif 000007
【図６】
2004244831.tif 000008
【図７】
2004244831.tif 000009
【図８】
2004244831.tif 000010
【図９】
2004244831.tif 000011
【図１０】
2004244831.tif 000012
【図１１】
2004244831.tif 000013
【図１２】
2004244831.tif 000014
【図１３】
2004244831.tif 000015
【図１４】
2004244831.tif 000016
【図１５】
2004244831.tif 000017
【図１６】
2004244831.tif 000018
【図１７】
2004244831.tif 000019
【図１８】
2004244831.tif 000020